(57)【要約】【課題】  消去部を湿らせることにより、落ちにくい汚れを容易に消去することができる電子黒板用イレーサを提供する。【解決手段】  本考案に係る電子黒板用イレーサ１は、保水機能を持ち、使用者が保持するための保持部１０と、保持部の外側表面を覆う被膜１４と、保持部下面に取り付けられている、電子黒板上の表記を消去する消去部１２とを有し、前記消去部の表面には、複数の微小な半球状の凸部、または凹部がアレー状に配置されていることを特徴とする。ユーザが、電子黒板にマーカーペンにより書き消しを繰り返し、落ちにくいインク汚れが電子黒板の板面に残った場合、ユーザは、保持部１０に圧力を加え、保持部１０の内部に保持する水分を消去部１２に染み込ませる。これにより、消去部１２は、水分を吸収し、消去機能が高まり、落ちにくいインク汚れを容易に消去することができる。【選択図】      図１
0003122500.tif 000002
【実用新案登録請求の範囲】
【請求項１】
電子黒板上に表記されたものを消去するイレーサにおいて、
柔軟性および保水機能を持つ保持部と、
保持部の外側表面を覆う防水用被膜と、
保持部下面に取り付けられ、電子黒板上の表記を消去する消去部とを有し、
前記消去部には、複数の凸部または凹部が配置されていることを特徴とする、電子黒板用イレーサ。
【請求項２】
前記保持部は、変形可能な半球状の柔軟材で構成されていることを特徴とする、請求項１に記載の電子黒板用イレーサ。
【請求項３】
前記保持部は、内部にナノポーラス構造によって構成された保水体を含む、請求項１または２に記載の電子黒板用イレーサ。
【請求項４】
前記保持部は、内部に磁石を含む、請求項１ないし３いずれか１つに記載の電子黒板用イレーサ。
【考案の詳細な説明】
【技術分野】
【０００１】
本考案は、電子黒板に表記されたマーカーペンによるインク表示を拭き取って消去する電子黒板用イレーサに関する。
【背景技術】
【０００２】
会議や講義等で電子黒板が使用されている。ユーザは、その電子黒板にマーカーによりインクを着色することで、文字や絵等の表記を行う。イレーサは、これらの表記を消去するものであり、一般的に樹脂などにより形成された手持式イレーサ本体に、インクを拭き取るためのフェルト材等により構成された消去部が一体的に取り付けられたものが知られている。
【０００３】
イレーサを長期間使用すると、マーカーのインクカスが、消去部の表面に付着するため、定期的に水洗いをする必要がある。
【０００４】
特許文献１は、マーカーペンによるインク表示を常時、良好かつ容易に拭き取って消去でき、しかも、拭き取られたインク残りカスの簡単な洗浄除去を可能にして、洗浄後の再使用を迅速になし得るようにするマーカーペン用イレーサを開示している。これによれば、イレーサは、主体芯部材と擦拭材によって構成されている。擦拭材はポリウレタンフォームを使用し、これを主体芯部材に接着させられている。
【０００５】
【特許文献１】特開平５−２４３９３
【考案の開示】
【考案が解決しようとする課題】
【０００６】
マーカーよる書き消しが繰り返され、イレーサを長期間使用すると、消去部にインクカスが付着し、インクカスがこぼれ落ちたりして、イレーサを使用しても落ちないインク汚れが、電子黒板の板面に残ってしまうことがある。このような場合、水分を含んだ雑巾等で板面を拭かなければならず、煩雑である。
【０００７】
本考案は、上記従来の課題を解決するために成されたものであり、イレーサの本体部内部に保持している水分で、消去部を湿らせることにより、電子黒板上の表記を容易に消去することができる電子黒板用イレーサを提供する。
【課題を解決するための手段】
【０００８】
本考案に係る電子黒板用イレーサは、柔軟性および保水機能を持つ保持部と、保持部の外側表面を覆う防水用被膜と、保持部下面に取り付けられ、電子黒板上の表記を消去する消去部とを有し、前記消去部には、複数の凸部または凹部が配置されていることを特徴とする。
【０００９】
好ましくは、前記保持部は、変形可能な半球状の柔軟材で構成されていることを特徴とする。前記保持部は、内部にナノポーラス構造によって構成せれる保水体を持つ。前記保持部は、内部に磁石を持つ。
【考案の効果】
【００１０】
本考案の電子黒板用イレーサによれば、保持部が保水構造を持つことにより、保持部の水分で消去部を湿らせ、電子黒板の板面に残るインク汚れをきれいに消去できる。さらに、消去部に設けられた複数の凸部にインクカスを推積させることで、イレーサを長期間使用しても表記を消去することができる。
【考案を実施するための最良の形態】
【００１１】
本考案の最良の実施の形態について図面を参照して詳細に説明する。
【実施例】
【００１２】
図１は、本考案の第１の実施例に係る電子黒板用イレーサを側面から見た外形図である。本実施例のイレーサ１は、ユーザが握る保持部１０と、電子黒板の表記を消去する消去部１２で構成されている。
【００１３】
保持部１０は、半球状の外形をしており、保水機能を持つ柔軟材である発泡ウレタンによって構成されている。発泡ウレタンは、無数の孔から成り、この孔に水分を含むことができる。さらに、発泡ウレタンは、簡単に変形し、保持部１０を掴むユーザの手のひらの形にフィットする。また、この保持部１０の外側表面は、ビニール膜等の水分を通さない被膜１４で覆われている。これにより、保持部１０が水分を含んでいる場合でも、保持部１０の内部から外側表面に水分が出ることはなく、保持部１０は、ユーザが使用する際、ユーザの手が濡れないような構造になっている。
【００１４】
消去部１２は、フェルト材等で形成されており、さらに、その表面は、複数の微小の凸型構造１６になっている。消去部１２は、好ましくは、保持部１０に接着されており、凸型構造１６は、半球状、円錐状、または、角栓状の突起物を含む。これらの突起は、２次元的に配列され、消去部１２に一体形成することができる。これにより、インクを拭き取り、電子黒板の表記を消去する。凸型構造１６の合間である凹部は、拭き取りインクカスを絡めて、ある一定量のインクカスを推積することができ、イレーサ１の長期間の使用を可能にし、インクカスがこぼれ落ちないような構造になっている。
【００１５】
ユーザが、電子黒板にマーカーペンにより書き消しを繰り返し、落ちにくいインク汚れが電子黒板の板面に残った場合、ユーザは保持部１０に圧力を加え、保持部１０に含んでいる水分を消去部１２に染み込ませる。消去部１２は、保持部１０からの水分を吸収することで、消去機能を高め、落ちにくいインク汚れも容易に消去することができる。なお、イレーサ１への保水は、好ましくは、消去部１２から水分を保持部１０へ染み込ませることによって行われる。
【００１６】
図２は、本考案の第２の実施例に係る電子黒板用イレーサを側面から見た外形図である。イレーサ１は、第１の実施例と同様に、ユーザが握る保持部１０と、電子黒板の表記を消去する消去部１２で構成されている。さらに、保持部１０は、内部に磁石１８と、保持部１０に使用されている発泡ウレタンよりも保水率が高い保水部２０を有している。
【００１７】
磁石１８は、イレーサ１の保持部１０の内部であって、消去部１２に近接する位置に取り付けられており、ユーザは、磁性体により構成されている電子黒板の板面にイレーサ１を貼り付けることができる。これにより、ユーザは、電子黒板上の邪魔にならない位置にイレーサ１を固定することができる。
【００１８】
保水部２０は、好ましくは、ナノポーラスと呼ばれる構造により形成されている。これは、無数の微細な孔を持つような構造であり、この微細孔に水分を含ませ、水分を保持することができる。保水部２０で保水された水分は、保持部１０へ拡散される。
【００１９】
図３は、本考案の第３の実施例に係る電子黒板用イレーサを側面から見た外形図である。イレーサ１は、第２の実施例と同様に、ユーザが握る保持部１０と、電子黒板の表記を消去する消去部１２で構成され、保持部１０は、内部に磁石１８と、保持部１０に使用されている発泡ウレタンよりも保水率が高い保水部２０を有している。消去部１２は、フェルト材等で形成されており、その表面には、複数の凹型構造である溝２２が形成されている。溝２２は、２次元的に配列され、消去部１２に一体形成されている。これにより、インクを拭き取り、電子黒板の表記を消去する。溝２２は、拭き取りインクカスを絡めて、ある一定量のインクカスを推積することができ、イレーサ１の長期間の使用を可能にし、インクカスがこぼれ落ちないような構造になっている。尚、第３の実施例は、第２の実施例を対象としたが、第１の実施例のイレーサに適用することもできる。
【００２０】
本考案の実施例によれば、消去部１２を湿らせることによる消去機能の向上に加えて、イレーサ１を丸洗いすることができ、それによってイレーサ１を清潔に保つことができ、さらに、保持部１０の柔軟性により、ユーザは指を動かすことでき、脳を活性化することができる。
【００２１】
上記実施例のイレーサ１は、落ちにくい汚れに対して消去機能を高めるための水分を含むものであったが、水分は、レモン、ライム、リンゴエキス等の香料を含む液体であって、消臭、またはリフレッシュ機能持つものであってもよい。
【００２２】
以上、本考案の好ましい実施の形態について詳述したが、本考案に係る特定の実施形態に限定されるものではなく、特許請求の範囲に記載された本考案の要旨の範囲内において、種々の変形・変更が可能である。
【産業上の利用可能性】
【００２３】
本考案に係る電子黒板用イレーサは、電子黒板の表記を消去するイレーサに利用される。
【図面の簡単な説明】
【００２４】
【図１】本考案の実施例に係る電子黒板用イレーサを示す図である。
【図２】第２の実施例の電子黒板用イレーサを示す図である。
【図３】第３の実施例の電子黒板用イレーサを示す図である。
【符号の説明】
【００２５】
１：イレーサ                          １０：保持部
１２：消去部                          １４：被膜
１６：凸型構造                        １８：磁石
２０：保水体                          ２２：溝
【図１】
0003122500.tif 000003
【図２】
0003122500.tif 000004
【図３】
0003122500.tif 000005